(57)【要約】【課題】ゴルフをプレーしている際には、フード部を折り畳んで収納できるゴルフバッグ用フードおよびそのフードを有するゴルフバッグを提供すること。【解決手段】ゴルフクラブ３を収納するバッグ本体２の開口部に取り付けられるゴルフバッグ用フード１であって、バッグ本体２の素材よりも薄くかつ軟質で折り畳み可能な材質で構成され、バッグ本体２の開口部から露出するゴルフクラブ３を覆うフード部１１と、そのフード部１１の中央の下端部に連結して設けられ、バッグ本体２の開口部の周囲を取り囲むように取り付けられ、フード部１１を使用しない場合には当該フード部１１を収納する収納部１２とを有する。【選択図】図１
0003179297.tif 000002
【実用新案登録請求の範囲】
【請求項１】
ゴルフクラブを収納するバッグ本体の開口部に取り付けられるゴルフバッグ用フードであって、
バッグ本体の素材よりも薄くかつ軟質で折り畳み可能な材質で構成され、バッグ本体の開口部から露出するゴルフクラブを覆うフード部と、
そのフード部の下端部に連結して設けられると共に、バッグ本体の開口部近傍に取り付けられ、フード部を使用しない場合には当該フード部を収納する収納部と、
を有することを特徴とするゴルフバッグ用フード。
【請求項２】
請求項１記載のゴルフバッグ用フードが、バッグ本体の開口部近傍にホック等を介して着脱自在に取り付けられていることを特徴とするゴルフバッグ。
【請求項３】
請求項１記載のゴルフバッグ用フードが、バッグ本体の開口部近傍に縫い付ける等して取外し不可状態で取り付けられていることを特徴するゴルフバッグ。
【請求項４】
請求項２または請求項３記載のゴルフバッグにおいて、
さらに、バッグ本体の開口部であってショルダーストラップが設けられた前側面とは反対側の後側面の開口部近傍には、その基端部が所定角度だけ回動可能に取り付けられたポール状のスタンドが設けられており、バッグ本体の後側の左右両側には、そのスタンドの不使用時に当該スタンドを覆うスタンドカバー部材が設けられていると共に、スタンドカバー部材の上部を覆うように収納部が取り付けられていることを特徴するゴルフバッグ。
【考案の詳細な説明】
【技術分野】
【０００１】
本考案は、ゴルフクラブを収納するバッグ本体の開口部から露出するゴルフクラブを覆うゴルフバッグ用フード、およびそのフードを有するゴルフバッグに関するものである。
【背景技術】
【０００２】
従来のゴルフバッグ（キャディバッグ）は、ゴルフクラブを収納するバッグ本体と、バッグ本体の開口部から露出するゴルフクラブを覆うゴルフバッグ用フードとを有しており、通常、ゴルフバッグ用フードは、ゴルフクラブのヘッドの損傷などを防止するため、バッグ本体と、同質の硬質の厚手のナイロンなどから構成されている（例えば、特許文献１〜３参照。）。
【先行技術文献】
【特許文献】
【０００３】
【特許文献１】特開２０００−３２５５１９号公報
【特許文献２】特開２００１−９５９６３号公報
【特許文献３】特開２００４−０８１６３７号公報
【考案の概要】
【考案が解決しようとする課題】
【０００４】
しかし、上述のゴルフバッグ用フードは、バッグ本体と同様に厚手のナイロンなどから構成されているため、折り畳むことが容易ではなく、ゴルフをプレーしている際には、邪魔になると、いう問題があった。
【０００５】
そこで、本考案は、このような問題を解決するためになされたもので、ゴルフをプレーしている際には、フード部を折り畳んで収納できるゴルフバッグ用フードおよびそのフードを有するゴルフバッグを提供することを目的とする。
【課題を解決するための手段】
【０００６】
上記課題を解決するため、本考案に係るゴルフバッグ用フードは、ゴルフクラブを収納するバッグ本体の開口部に取り付けられるゴルフバッグ用フードであって、バッグ本体の素材よりも薄くかつ軟質で折り畳み可能な材質で構成され、バッグ本体の開口部から露出するゴルフクラブを覆うフード部と、そのフード部の下端部に連結して設けられると共に、バッグ本体の開口部近傍に取り付けられ、フード部を使用しない場合には当該フード部を収納する収納部と、を有することを特徴とする。
また、本考案に係るゴルフバッグは、上述のゴルフバッグ用フードが、バッグ本体の開口部近傍にホック等を介して着脱自在に取り付けられていることを特徴とする。
また、本考案に係るゴルフバッグは、上述のゴルフバッグ用フードが、バッグ本体の開口部近傍に縫い付ける等して取外し不可状態で取り付けられていることを特徴する。
ここで、このゴルフバッグにおいて、さらに、バッグ本体の開口部であってショルダーストラップが設けられた前側面とは反対側の後側面の開口部近傍には、その基端部が所定角度だけ回動可能に取り付けられたポール状のスタンドが設けられており、バッグ本体の後側の左右両側には、そのスタンドの不使用時に当該スタンドを覆うスタンドカバー部材が設けられていると共に、スタンドカバー部材の上部を覆うように収納部が取り付けられているようにしても良い。
【考案の効果】
【０００７】
本考案に係るゴルフバッグ用フードおよびそのフードを有するゴルフバッグによれば、バッグ本体の素材よりも薄くかつ軟質で折り畳み可能な材質で構成され、バッグ本体の開口部から露出するゴルフクラブを覆うフード部と、そのフード部を収納する収納部を有するため、ゴルフをプレーしている際には、フード部を収納部に折り畳んで収納できる。
【図面の簡単な説明】
【０００８】
【図１】（ａ），（ｂ）それぞれ、実施形態１のゴルフバッグにおいてフード部を収納部から取り出してバッグ本体の開口部を覆っている状態を示す正面図、右側面図である。
【図２】（ａ），（ｂ）それぞれ、実施形態１のゴルフバッグ用フードにおいてフード部を広げた状態の裏面図、表面図である。
【図３】（ａ），（ｂ）それぞれ、実施形態１のゴルフバッグ用フードのフード部を収納部に収納した状態を示すゴルフバッグの正面図、右側面図である。
【図４】実施形態１のゴルフバッグにおいてバッグ本体からフード部収納状態のゴルフバッグ用フードを取外した状態を示す右側面図である。
【図５】実施形態２のゴルフバッグにおいてフード部を収納部から取り出してバッグ本体の開口部を覆っている状態を示す正面図である。
【図６】（ａ），（ｂ）それぞれ、実施形態２のゴルフバッグにおいてフード部を収納部から取り出してバッグ本体の開口部を覆っている状態を示す左側面図、右側面図である。
【図７】（ａ），（ｂ）それぞれ、実施形態２のゴルフバッグ用フードのフード部を収納部に収納した状態を示すゴルフバッグの正面図、左側面図である。
【図８】（ａ），（ｂ）それぞれ、実施形態２のゴルフバッグ用フードにおいてフード部を広げた状態の裏面図、表面図である。
【図９】実施形態３のゴルフバッグにおいてフード部を収納部から取り出してバッグ本体の開口部を覆っている状態を示す正面図である。
【図１０】実施形態３のゴルフバッグにおいてフード部を収納部から取り出してバッグ本体の開口部を覆っている状態を示す左側面図である。
【図１１】実施形態３のゴルフバッグにおいてフード部を収納部に収納した状態を示す正面図である。
【図１２】実施形態３のゴルフバッグにおいてフード部を収納部に収納した状態で、かつ、スタンドカバー部材を閉めた状態を示す左側面図である。
【図１３】実施形態３のゴルフバッグにおいてフード部を収納部に収納した状態で、かつ、スタンドカバー部材を開けた状態を示す左側面図である。
【図１４】実施形態３のゴルフバッグにおいてフード部を収納部に収納した状態で、かつ、スタンドカバー部材を開けてスタンドを使用している状態を示す正面図である。
【考案を実施するための形態】
【０００９】
実施形態１．
以下、本考案に係る実施形態１のゴルフバッグ用フード１およびそのゴルフバッグ用フード１を有するゴルフバッグゴルフバッグについて説明する。
【００１０】
図１〜図４に示すように、このゴルフバッグ用フード１は、ゴルフクラブ３を収納するバッグ本体２の開口部２１から露出するゴルフクラブ３を覆うもので、図２に示すように、バッグ本体２の開口部２ａから露出するゴルフクラブ３を覆うフード部１１と、そのフード部１１の基部に連結するように縫い付けて設けられ、バッグ本体２の開口部２１の周囲を取り囲むように取り付けられ、フード部１１を使用しない場合には当該フード部１１を収納するため袋状で、かつ、ベルト状の収納部１２とを有する。
【００１１】
フード部１１は、バッグ本体２の素材よりも薄くかつ軟質で折り畳み可能なナイロン等で構成されており、撥水処理されていることが望ましい。なお、フード部１１は、ナイロンに限らず、その他の折り畳み可能な材料であれば良い。また、フード部１１には、バッグ本体２の開口部２１から露出するゴルフクラブ３を覆う際に閉じるためのチャック部１１ａが設けられている。なお、チャック部１１ａの代わりにホックでも、あるいは面状ファスナ等でも良く、要は、閉めることができれば良い。
【００１２】
収納部１２の左右両側の上端部の裏面側には、所定間隔でバッグ本体２の開口部２１の周囲に設けられたホック２１ａ（図４参照。）に着脱自在に嵌るホック１２ｂが設けられている。また、この収納部１２には、フード部１１を収納する際、開閉するチャック部１２ｂが設けられている。
【００１３】
従って、実施形態１のゴルフバッグ用フード１は、図４に示すように、バッグ本体２の開口部２１を取り囲むように着脱自在に取り付けることができる一方、ゴルフをプレーしない場合には、図１に示すように、フード部１１のチャック部１１ａを閉めてバッグ本体２の開口部２１から露出するゴルフクラブ３を覆うことができる。その結果、撥水材料や撥水処理されているフード部１１とも相まって、ゴルフクラブ３が雨などに晒されることを防止できる。
【００１４】
また、ゴルフのプレー時には、図３に示すように、ゴルフバッグ用フード１のフード部１１を折り畳んで、バッグ本体２の開口部２１を取り囲むように取り付けた収納部１２のチャック部１２ｂを開けて、収納部１２の中に収納することができる。
【００１５】
実施形態２．
次に、実施形態２のゴルフバッグ用フード１’およびそのゴルフバッグ用フード１’を有するゴルフバッグについて説明する。
【００１６】
実施形態２のゴルフバッグ用フード１’は、図５〜図８に示すように、実施形態１のゴルフバッグ用フード１と同様に、バッグ本体２’の素材よりも薄くかつ軟質で折り畳み可能な材質で構成され、バッグ本体の開口部から露出するゴルフクラブ３を覆うフード部１１’と、そのフード部１１’の中央の下端部に連結して設けられ、フード部１１’を使用しない場合には当該フード部１１’を収納する収納部１２’から構成されている。
【００１７】
フード部１１’は、実施形態１のフード部１１と同様に、図８に示すように、バッグ本体２’の開口部２１’から露出するゴルフクラブ３を覆う際に閉じるためのチャック部１１ａ’が設けられており、チャック部１１ａ’の代わりにホックでも、あるいは面状ファスナ等でも良いことは同様である。また、このフード部１１’の下部には、バッグ本体２’の開口部２１’に設けられたホック２１ａ’に着脱自在に連結するためのホック１１ｂ’が設けられている。
【００１８】
収納部１２’は、図８に示すように、実施形態１の収納部１２より長手方向の長さが短く、また、バッグ本体１１’の開口部２１’であって、ショルダーストラップ２２’とは反対側の側面に縫い付ける等して固着されている。なお、実施形態２の収納部１２’は、実施形態１の収納部１２よりも横方向の長さが短いため、上下方向の長さ又は奥行き（厚さ）を大きくしている。
【００１９】
従って、実施形態２のゴルフバッグ用フード１は、バッグ本体２’に対し着脱自在でないものの、実施形態１のゴルフバッグ用フード１と同様に、ゴルフをプレーしない場合には、図５および図６に示すように、フード部１１’のチャック部１１ａ’を閉めてバッグ本体２’の開口部２１’から露出するゴルフクラブ３を覆うことができる一方、ゴルフのプレー時には、図７に示すように、ゴルフバッグ用フード１’のフード部１１’を折り畳んで収納部１２’のチャック部１２ｂ’を開けて、収納部１２’の中に収納することができる。
【００２０】
実施形態３．
次に、実施形態３のゴルフバッグ用フード１”およびそのゴルフバッグ用フード１”を有するゴルフバッグについて説明する。
【００２１】
実施形態３のゴルフバッグ用フード１”は、図９〜図１４に示すように、実施形態１，２のゴルフバッグ用フード１，１’と同様に、バッグ本体２”の素材よりも薄くかつ軟質で折り畳み可能な材質で構成され、バッグ本体の開口部２１”から露出するゴルフクラブ３を覆うフード部１１”と、そのフード部１１”の中央の下端部に連結して設けられ、フード部１１”を使用しない場合には当該フード部１１”を収納する収納部１２”から構成されている。
【００２２】
そして、実施形態３のゴルフバッグのバッグ本体２”には、図９〜図１４に示すように、ショルダーストラップ２２”が設けられた前側面とは反対側の後側面の開口部２１”近傍には、その基端部が所定角度だけ回動可能に取り付けられた２本のポール状のスタンド２３ａ”，２３ｂ”が設けられており、図１４に示すように、ゴルフのプレー中などでは、そのスタンド２３ａ”，２３ｂ”を引き出して使用する。
【００２３】
そのため、この実施形態３のバッグ本体２”の後側面（図上、左側面）の左右両側には、そのスタンド２３ａ”，２３ｂ”の不使用時に、スタンド２３ａ”，２３ｂ”を覆うスタンドカバー部材２４ａ”，２４ｂ”が設けられており、スタンドカバー部材２４ａ”，２４ｂ”の先端には、開閉するためのチャック部２５”が設けられている。
【００２４】
そして、ゴルフバッグ用フード１”の収納部１２”は、スタンドカバー部材２４ａ”，２４ｂ”の上部を覆うように、バッグ本体１１’の開口部２１’に縫付けられ等して固着されており、収納部１２”の裏面側には面状ファスナ（オス側）１２ｃ”，１２ｃ”が設けられている一方、スタンドカバー部材２４ａ”，２４ｂ”の上端部には、その面状ファスナ（オス側）１２ｃ”，１２ｃ”に係脱する面状ファスナ（メス側）２６ａ”，２６ｂ”が設けられている。また、この収納部１２”には、折り畳んだフード部１１”を収納して閉めることができるようにチャック部１２ｂ”が設けられている。
【００２５】
そのため、ゴルフのプレー中などでは、図１３に示すように、収納部１２”の裏面側の面状ファスナ（オス側）１２ｃ”，１２ｃ”を、スタンドカバー部材２４ａ”，２４ｂ”の面状ファスナ（メス側）２６ａ”，２６ｂ”から剥がすと共に、スタンドカバー部材２４ａ”，２４ｂ”のチャック部２５”を開けて、図１４に示すようにスタンド２３ａ”，２３ｂ”を引き出して使用する。
【００２６】
これに対し、スタンド２３ａ”，２３ｂ”を使用しない場合には、図１１に示すように、スタンド２３ａ”，２３ｂ”をバッグ本体２１の後側面に寄せて、図１０に示すように、スタンドカバー部材２４ａ”，２４ｂ”のチャック部２５”を上げて閉めると共に、スタンドカバー部材２４ａ”，２４ｂ”の上端部の面状ファスナ（メス側）２６ａ”，２６ｂ”に収納部１２”の裏面側の面状ファスナ（オス側）１２ｃ”，１２ｃ”を接着させて、収納部１２”によりスタンドカバー部材２４ａ”，２４ｂ”の上部の蓋をする。
【００２７】
従って、実施形態３のゴルフバッグ用フード１”によれば、実施形態１，２のゴルフバッグ用フード１，１’と同様に、ゴルフをプレーしない場合には、フード部１１”のチャック部１１ａ”を閉めてバッグ本体２”の開口部２１”から露出するゴルフクラブ３を覆うことができ、撥水材料や撥水処理されているフード部１１”とも相まって、ゴルフクラブ３が雨などに晒されることを効果的に防止できる。
【００２８】
また、実施形態３のゴルフバッグ用フード１”では、スタンド２３ａ”，２３ｂ”を使用しない場合には、スタンドカバー部材２４ａ”，２４ｂ”の上端部を収納部１２”が覆うので、折り畳んだフード部１１”を収納する収納部１２”をスタンド２３ａ”，２３ｂ”のカバーとしても使用することができる。また、この収納部１２”も、フード部１１”と同様の素材、すなわち撥水材料や撥水処理されている材料により構成されていれば、スタンド２３ａ”，２３ｂ”の上部が雨などに晒されることを効果的に防止できる。
【符号の説明】
【００２９】
１，１’，１”  ゴルフバッグ用フード
１１，１１’，１１”  フード部
１１ａ，１１ａ’，１１ａ”  チャック部
１１ｂ，１１ｂ’  ホック
１２，１２’，１２”  収納部
１２ａ  ホック
１２ｂ  チャック部
１２ｃ”，１２ｃ”  面状ファスナ（オス側）
２，２’，２”  バッグ本体
２１，２１’，２１”  開口部
２１ａ，２１ａ’，２１ａ”  ホック
２２，２２’，２２”  ショルダーストラップ
２３ａ’，２３ｂ’  スタンド
２４ａ’，２４ｂ’  スタンドカバー部材
２５”  チャック部
２６ａ’，２６ｂ’  面状ファスナ（メス側）
３  ゴルフクラブ
【図１】
0003179297.tif 000003
【図２】
0003179297.tif 000004
【図３】
0003179297.tif 000005
【図４】
0003179297.tif 000006
【図５】
0003179297.tif 000007
【図６】
0003179297.tif 000008
【図７】
0003179297.tif 000009
【図８】
0003179297.tif 000010
【図９】
0003179297.tif 000011
【図１０】
0003179297.tif 000012
【図１１】
0003179297.tif 000013
【図１２】
0003179297.tif 000014
【図１３】
0003179297.tif 000015
【図１４】
0003179297.tif 000016